(57)【要約】【課題】工事の施工スケジュールをより多くの場所で確認することである。【解決手段】通信ネットワークＮに接続されたサーバ１０は、工事別の受注情報を管理端末２０から入力し、入力された工事別の受注情報に基づいて、工事別の施工スケジュールを示すスケジュールバーを工事別に作成しカレンダボード上に配置してスケジュールボード表示情報を作成し、作成されたスケジュールボード表示情報を通信ネットワークＮ上の照会端末３０に公開する。【選択図】図１
2016006590.tif 000002
【特許請求の範囲】
【請求項１】
通信ネットワークに接続された情報処理装置であって、
工事別の受注情報を入力する入力手段と、
前記入力された工事別の受注情報に基づいて、当該工事別の施工スケジュールを示すスケジュールバーを工事別に作成しカレンダボード上に配置してスケジュールボード表示情報を作成する作成手段と、
前記作成されたスケジュールボード表示情報を前記通信ネットワーク上の照会端末に公開する公開手段と、
を備える情報処理装置。
【請求項２】
前記入力手段は、前記受注情報として、工事別の施工開始日及び施工終了日を入力し、
前記作成手段は、前記入力された工事別の施工開始日及び施工終了日に基づいて、当該工事別の施工スケジュールを示すスケジュールバーを工事別に作成しカレンダボード上に配置してスケジュールボード表示情報を作成する請求項１に記載の情報処理装置。
【請求項３】
前記入力手段は、受注入力で入力された工事別の費用予測金額と、費用実績入力で入力された工事別の費用実績金額と、を入力し、
前記作成手段は、前記入力された工事別の費用予測金額及び費用実績金額に基づいて、当該費用予測金額に対する当該費用実績金額の割合を示す費用実績バーを工事別に作成して前記カレンダボード上に配置して前記スケジュールボード表示情報を作成する請求項１に記載の情報処理装置。
【請求項４】
前記作成手段は、前記費用予測金額に対する当該費用実績金額の割合に応じて、前記費用実績バーの表示色を設定する請求項３に記載の情報処理装置。
【請求項５】
前記作成手段は、前記費用実績バーの長さを前記費用予測金額に対応させ、当該費用予測金額に対する前記費用実績金額の割合を長さで示す当該費用実績バーを作成する請求項４に記載の情報処理装置。
【請求項６】
前記入力手段は、進捗入力に応じた工事別の進捗率を入力し、
前記作成手段は、前記入力された工事別の進捗率を示す工事進捗率バーを工事別に作成して前記カレンダボード上に配置して前記スケジュールボード表示情報を作成する請求項１から５のいずれか一項に記載の情報処理装置。
【請求項７】
前記作成手段は、前記進捗率に応じて、前記工事進捗率バーの表示色を設定する請求項６に記載の情報処理装置。
【請求項８】
前記作成手段は、前記工事進捗率バーの長さを１００％に対応させ、前記進捗率を長さで示す当該工事進捗率バーを作成する請求項６又は７に記載の情報処理装置。
【請求項９】
前記入力手段は、工事別の詳細情報を入力し、
前記作成手段は、前記入力された工事別の詳細情報を前記工事別のスケジュールバーに追加する請求項１から８のいずれか一項に記載の情報処理装置。
【請求項１０】
前記入力手段は、工事別の完了区分を入力し、
前記作成手段は、前記入力された工事別の完了区分に応じて前記工事別のスケジュールバーの表示色を設定する請求項１から９のいずれか一項に記載の情報処理装置。
【請求項１１】
通信ネットワークに接続された情報処理装置のコンピュータを、
工事別の受注情報を入力する入力手段、
前記入力された工事別の受注情報に基づいて、当該工事別の施工スケジュールを示すスケジュールバーを工事別に作成しカレンダボード上に配置してスケジュールボード表示情報を作成する作成手段、
前記作成されたスケジュールボード表示情報を前記通信ネットワーク上の照会端末に公開する公開手段、
として機能させるためのプログラム。
【発明の詳細な説明】
【技術分野】
【０００１】
本発明は、情報処理装置及びプログラムに関する。
【背景技術】
【０００２】
従来、建物の建築（新築、リフォーム）等の工事業用のコンピュータシステムであって、工事業者の事務所等に設置され、工事に関する情報を作成及び管理する管理端末と、管理端末で作成された情報を記憶して管理するサーバと、を備える工事業システムが知られている。
【０００３】
また、工事の予算の管理を行うシステムとして、予算管理サーバが、端末からの予算に関する情報を管理する予算管理システムが知られている（特許文献１参照）。予算管理サーバは、実行予算と予算とを比較し、実行予算が予算の所定割合を超えると作業実施者宛に警告を行う。
【先行技術文献】
【特許文献】
【０００４】
【特許文献１】特開２００３−１２２８９１号公報
【発明の概要】
【発明が解決しようとする課題】
【０００５】
しかし、従来の工事業システムでは、工事の施工スケジュールの内容を確認するには、管理端末が、対応するローカルアプリを起動して工事の施工スケジュールの表示を行う。このため、管理端末の以外の端末では工事の施工スケジュールを確認できなかった。例えば、ユーザの外出先や工事現場で、工事の施工スケジュールを確認できなかった。
【０００６】
本発明の課題は、工事の施工スケジュールをより多くの場所で確認することである。
【課題を解決するための手段】
【０００７】
上記課題を解決するために、本発明の情報処理装置は、通信ネットワークに接続された情報処理装置であって、工事別の受注情報を入力する入力手段と、前記入力された工事別の受注情報に基づいて、当該工事別の施工スケジュールを示すスケジュールバーを工事別に作成しカレンダボード上に配置してスケジュールボード表示情報を作成する作成手段と、前記作成されたスケジュールボード表示情報を前記通信ネットワーク上の照会端末に公開する公開手段と、を備える。
【発明の効果】
【０００８】
本発明によれば、工事の施工スケジュールをより多くの場所で確認できる。
【図面の簡単な説明】
【０００９】
【図１】本発明の実施の形態の工事業システムを示すブロック図である。
【図２】サーバの機能構成を示すブロック図である。
【図３】管理端末の機能構成を示すブロック図である。
【図４】照会端末の機能構成を示すブロック図である。
【図５】（ａ）は、工事受注マスタファイルの構成を示す図である。（ｂ）は、費用実績ファイルの構成を示す図である。（ｃ）は、工程マスタファイルの構成を示す図である。
【図６】（ａ）は、工程パターンマスタファイルの構成を示す図である。（ｂ）は、工事別工程マスタファイルの構成を示す図である。（ｃ）は、閾値ファイルの構成を示す図である。
【図７】管理端末処理を示すフローチャートである。
【図８】サーバ処理を示すフローチャートである。
【図９】サーバ処理のスケジュールボード作成処理を示すフローチャートである。
【図１０】スケジュールボード表示画面を示す図である。
【発明を実施するための形態】
【００１０】
以下、添付図面を参照して本発明に係る実施の形態を詳細に説明する。なお、本発明は、図示例に限定されるものではない。
【００１１】
図１〜図４を参照して、本実施の形態の装置構成を説明する。先ず、図１を参照して、本実施の形態の工事業システム１を説明する。図１は、工事業システム１を示すブロック図である。
【００１２】
工事業システム１は、複数の工務店等の工事業者のそれぞれに工事の施工スケジュールを提供するシステムである。工事業システム１は、サーバ１０と、複数の管理端末２０と、複数の照会端末３０と、を備える。工事業システム１の各装置は、通信ネットワークＮに接続される。
【００１３】
サーバ１０は、通信ネットワークＮのクラウド内のサーバ装置であり、管理端末２０から受信した情報を管理するとともに、管理端末２０及び照会端末３０に工事のスケジュールボードを提供する。サーバ１０は、一台で表現するが、これに限定されるものではなく、複数台の装置から構成されるものとしてもよい。
【００１４】
管理端末２０は、複数の工事業者がそれぞれ所有し、複数の工事業者それぞれの事務所に固定設置される端末装置である。ここで、複数の工事業者を、第１、第２…第ｎ（ｎ：２以上の整数）の工事業者とする。第ｉ（ｉ：１〜ｎの整数）の工事業者がｉ台目の管理端末２０を所有するものとする。また、各管理端末２０のユーザは、所有する工事業者の構成員（従業員、社長等）であるものとする。
【００１５】
管理端末２０は、設置された工事業者の工事に関する情報を管理する。また、管理端末２０は、工事業に関する処理専用の端末装置であるものとする。しかし、これに限定されるものではなく、管理端末２０は、汎用のデスクトップＰＣ（Personal Computer）等の端末装置としてもよい。
【００１６】
照会端末３０は、管理端末２０の複数の工事業者がそれぞれ所有し、工事の施工スケジュールを照会するための端末装置である。照会端末３０は、タブレットＰＣであるものとし、通信ネットワークＮに無線通信接続可能である。但し、照会端末３０は、スマートフォン、ノートＰＣ等、他の携帯端末としてもよい。このため、照会端末３０は、ユーザが外出先、工事現場等、事務所以外の場所に持ち出して使用することが可能である。しかし、これに限定されるものではなく、照会端末３０は、デスクトップＰＣ等、事務所以外の場所に設置された他の端末装置としてもよい。
【００１７】
通信ネットワークＮは、インターネットであるものとし、ＷＡＮ（Wide Area Network）、ＬＡＮ（Local Area Network）、専用線等を含んでもよい。
【００１８】
本実施の形態では、各工事業者に１組ずつのユーザＩＤ及びパスワードが発行されているものとする。例えば、第１の工事業者のユーザは、第１の工事業者用に発行されたユーザＩＤ及びパスワードを、第１の工事業者の管理端末２０や照会端末３０へ入力することによりサーバ１０にログインするものとする。ここで、第ｉ（ｉ：１〜ｎの整数）の工事業者のユーザＩＤ及びパスワードを、第ｉのユーザＩＤ及びパスワードとする。しかし、これに限定されるものではなく、１つの工事業者に複数組のユーザＩＤ及びパスワードが発行されているものとしてもよい。
【００１９】
なお、本実施の形態では、工事業システム１の管理端末２０、照会端末３０がそれぞれ複数の工事業者が所有する複数台であるものとして説明するが、これに限定されるものではなく、工事業システム１の管理端末２０、照会端末３０がそれぞれ１つの工事業者が所有する１台であるものとしてもよい。
【００２０】
次いで、図２を参照して、サーバ１０の機能構成を説明する。図２は、サーバ１０の機能構成を示すブロック図である。
【００２１】
図２に示すように、サーバ１０は、作成手段、公開手段としてのＣＰＵ（Central Processing Unit）１１と、操作部１２と、ＲＡＭ（Random Access Memory）１３と、表示部１４と、記憶部１５と、入力手段としての通信部１６と、計時部１７と、を備える。サーバ１０の各部は、バス１８を介して接続されている。
【００２２】
ＣＰＵ１１は、サーバ１０の各部を制御する。ＣＰＵ１１は、記憶部１５に記憶されているシステムプログラム及びアプリケーションプログラムのうち、指定されたプログラムを読み出し、当該プログラムとの協働で、各種処理を実行する。
【００２３】
操作部１２は、キーボード等のキー入力部と、マウス等のポインティングデバイスとを有し、キー入力及び位置入力を受け付け、その操作情報をＣＰＵ１１に出力する。
【００２４】
ＲＡＭ１３は、揮発性のメモリであり、各種のデータやプログラムを一時的に格納するワークエリアを形成する。表示部１４は、ＬＣＤ（Liquid Crystal Display）、ＥＬ（ElectroLuminescent）ディスプレイ等であり、ＣＰＵ１１から指示された表示情報に従い各種表示を行う。
【００２５】
記憶部１５は、ＨＤＤ（Hard Disk Drive）、ＳＳＤ（Solid State Drive）等により構成され、データ及びプログラムを書き込み及び読み出し可能な記憶部である。記憶部１５は、サーバ処理プログラム１５１と、後述する、全ての管理端末２０に対応する工事受注マスタファイル４０、費用実績ファイル６０、工程マスタファイル７０、工程パターンマスタファイル８０、工事別工程マスタファイル９０と、閾値ファイル１００と、を記憶している。
【００２６】
通信部１６は、ネットワークカード等により構成され、通信ネットワークＮに有線通信接続される。ＣＰＵ１１は、通信部１６を介して、通信ネットワークＮ上の機器と通信が可能である。
【００２７】
計時部１７は、現在日時を計時する計時回路であり、計時した現在日時情報をＣＰＵ１１に出力する。
【００２８】
次いで、図３を参照して、管理端末２０の機能構成を説明する。図３は、管理端末２０の機能構成を示すブロック図である。
【００２９】
管理端末２０は、ＣＰＵ２１と、操作部２２と、ＲＡＭ２３と、表示部２４と、記憶部２５と、通信部２６と、を備える。管理端末２０の各部は、バス２７を介して接続されている。
【００３０】
ＣＰＵ２１、操作部２２、ＲＡＭ２３、表示部２４、記憶部２５、通信部２６は、サーバ１０のＣＰＵ１１、操作部１２、ＲＡＭ１３、表示部１４、記憶部１５、通信部１６と同様であるため、重複する説明を省略する。
【００３１】
ＣＰＵ２１は、管理端末２０の各部を制御する。記憶部２５は、管理端末処理プログラム２５１と、自機の管理端末２０に対応する工事受注マスタファイル４０、費用実績ファイル６０、工程マスタファイル７０、工程パターンマスタファイル８０、工事別工程マスタファイル９０と、を記憶している。
【００３２】
次いで、図４を参照して、照会端末３０の機能構成を説明する。図４は、照会端末３０の機能構成を示すブロック図である。
【００３３】
照会端末３０は、ＣＰＵ３１と、操作部３２と、ＲＡＭ３３と、表示部３４と、記憶部３５と、通信部３６と、を備える。照会端末３０の各部は、バス３７を介して接続されている。
【００３４】
ＣＰＵ３１、ＲＡＭ３３、表示部３４は、サーバ１０のＣＰＵ１１、ＲＡＭ１３、表示部１４と同様であるため、重複する説明を省略する。
【００３５】
ＣＰＵ３１は、照会端末３０の各部を制御する。操作部３２は、表示部３４の表示画面上に設けられたタッチパネルであり、ユーザからのタッチ入力を受け付け、その操作情報をＣＰＵ３１に出力する。
【００３６】
記憶部３５は、フラッシュメモリ、ＥＥＰＲＯＭ（Electrically Erasable Programmable Read Only Memory）等で構成され、情報の読み出し及び書き込みが可能なメモリである。通信部３６は、アンテナ、変調復調回路、信号処理部等を有する無線通信部で構成され、通信ネットワークＮ上の基地局（図示略）又はアクセスポイント（図示略）と無線通信を行う。ＣＰＵ３１は、通信部３６を介して、通信ネットワークＮ上の機器と通信が可能である。
【００３７】
次に、図５及び図６を参照して、工事業システム１に記憶される情報を説明する。図５（ａ）は、工事受注マスタファイル４０の構成を示す図である。図５（ｂ）は、費用実績ファイル６０の構成を示す図である。図５（ｃ）は、工程マスタファイル７０の構成を示す図である。図６（ａ）は、工程パターンマスタファイル８０の構成を示す図である。図６（ｂ）は、工事別工程マスタファイル９０の構成を示す図である。図６（ｃ）は、閾値ファイル１００の構成を示す図である。
【００３８】
図５（ａ）を参照して、第１の工事業者の管理端末２０の記憶部２５に記憶される工事受注マスタファイル４０を説明する。工事受注マスタファイル４０は、工事番号４１、完了区分４２、工事名４３、現場住所４４、施工開始日４５、施工終了日４６、契約金額４７、費用予測金額４８、進捗率４９、得意先名５０、他の情報５１等のフィールドを有する。
【００３９】
工事番号４１は、第１の工事業者が顧客（得意先）から受注した工事の識別情報である。完了区分４２は、工事番号４１の工事の完了又は未完了を示す情報である。工事名４３は、工事番号４１の工事の名称である。現場住所４４は、工事番号４１の工事現場の住所である。施工開始日４５は、工事番号４１の工事の施工開始日の日付情報である。施工終了日４６は、工事番号４１の工事の施工終了日の日付情報である。
【００４０】
契約金額４７は、工事番号４１の工事の契約金額である。費用予測金額４８は、工事番号４１の工事にかかる費用の予想金額であり、予算金額となる。進捗率４９は、工事番号４１の工事の進捗率（出来高率）であり、例えば百分率で示される。得意先名５０は、工事番号４１の工事の受注先の得意先名である。他の情報５１は、工事番号４１の工事に関する他の情報である。この他の情報は、複数あってもよい。
【００４１】
図５（ｂ）を参照して、第１の工事業者の管理端末２０の記憶部２５に記憶される費用実績ファイル６０を説明する。費用実績ファイル６０は、工事番号６１、費用発生日６２、材料費６３、労務費６４、外注費６５、経費６６、その他経費６７のフィールドを有する。
【００４２】
工事番号６１は、第１の工事業者の工事の識別情報である。費用発生日６２は、工事番号６１の工事で費用が発生した日付情報である。材料費６３は、工事番号６１の工事の費用発生日６２で発生した材料費の金額情報である。労務費６４は、工事番号６１の工事の費用発生日６２で発生した労務費の金額情報である。外注費６５は、工事番号６１の工事の費用発生日６２で発生した外注費の金額情報である。経費６６は、工事番号６１の工事の費用発生日６２で発生した通常の経費の金額情報である。その他経費６７は、工事番号６１の工事の費用発生日６２で発生した経費６６以外の経費の金額情報である。
【００４３】
図５（ｃ）を参照して、第１の工事業者の管理端末２０の記憶部２５に記憶される工程マスタファイル７０を説明する。工程マスタファイル７０は、工程番号７１、工程名７２のフィールドを有する。
【００４４】
工程番号７１は、工事に含まれる工程の識別情報である。工程名７２は、工程番号７１の工程の名称である。
【００４５】
図６（ａ）を参照して、第１の工事業者の管理端末２０の記憶部２５に記憶される工程パターンマスタファイル８０を説明する。工程パターンマスタファイル８０は、工程パターン番号８１、工程番号８２、工程割合８３、工程番号８４、工程割合８５、工程番号８６、工程割合８７…のフィールドを有する。
【００４６】
工程パターン番号８１は、工事における工程のパターンの識別情報である。工程番号８２は、工程パターン番号８１の工事の１番目の工程（工程１）の識別情報である。工程割合８３は、工程パターン番号８１の工事の全工程に対する工程１の占める割合である。工程番号８４は、工程パターン番号８１の工事の２番目の工程（工程２）の識別情報である。工程割合８５は、工程パターン番号８１の工事の全工程に対する工程２の占める割合である。工程番号８６は、工程パターン番号８１の工事の３番目の工程（工程３）の識別情報である。工程割合８７は、工程パターン番号８１の工事の全工程に対する工程３の占める割合である。また、工事に含まれる工程数は、２以下であってもよい。
【００４７】
工程パターンマスタファイル８０は、工程パターン番号８１の工事の４番目以降の工程についても、工程番号及び工程割合のフィールドを有する。
【００４８】
図６（ｂ）を参照して、第１の工事業者の管理端末２０の記憶部２５に記憶される工事別工程マスタファイル９０を説明する。工事別工程マスタファイル９０は、工事番号９１、工程パターン番号９２、工程番号９３、工程割合９４、完了割合９５、工程番号９６、工程割合９７、完了割合９８…、全体進捗割合９９のフィールドを有する。
【００４９】
工事番号９１は、第１の工事業者の工事の識別情報である。工程パターン番号９２は、工事番号９１の工事における工程パターンの識別情報である。工程番号９３は、工事番号９１の工程パターン番号９２の工事の１番目の工程（工程１）の識別情報である。工程割合９４は、工事番号９１の工事の工程パターン番号９２の工事の全工程に対する工程１の占める割合である。完了割合９５は、工程番号９３の工程１の完了を１００％とした進捗率である。工程番号９６は、工事番号９１の工事の工程パターン番号９２の２番目の工程（工程２）の識別情報である。工程割合９７は、工事番号９１の工事の工程パターン番号９２の工事の全工程に対する工程２の占める割合である。完了割合９５は、工程番号９３の工程２の進捗率である。
【００５０】
工事別工程マスタファイル９０は、工程パターン番号８１の工事の３番目以降の工程についても、工程番号、工程割合及び完了割合のフィールドを有する。全体進捗割合９９は、工事番号９１の工事における全工程の進捗率である。
【００５１】
第１の工事業者以外の各工事業者の管理端末２０においても、第１の工事業者の管理端末２０と同様に、記憶部２５に、各工事業者の工事に対応する工事受注マスタファイル４０、費用実績ファイル６０、工程マスタファイル７０、工程パターンマスタファイル８０、工事別工程マスタファイル９０が記憶される。
【００５２】
また、サーバ１０の記憶部１５には、全工事業者の工事に対応する工事受注マスタファイル４０、費用実績ファイル６０、工程マスタファイル７０、工程パターンマスタファイル８０、工事別工程マスタファイル９０が記憶される。より具体的には、サーバ１０の記憶部１５には、第１〜第ｎのユーザＩＤそれぞれに対応するｎ個のテーブル用フォルダが格納される。例えば、記憶部１５の第１のユーザＩＤに対応するテーブル用フォルダに、第１の工事業者の工事受注マスタファイル４０、費用実績ファイル６０、工程マスタファイル７０、工程パターンマスタファイル８０、工事別工程マスタファイル９０が格納される。
【００５３】
記憶部１５の第２〜第ｎのユーザＩＤに対応するテーブル用フォルダにも同様にして、それぞれ、第２〜第ｎの工事業者の工事受注マスタファイル４０、費用実績ファイル６０、工程マスタファイル７０、工程パターンマスタファイル８０、工事別工程マスタファイル９０が格納される。なお、後述するスケジュールボード表示情報を格納するための公開フォルダも、ユーザＩＤ別に記憶部１５に格納されるものとする。
【００５４】
図６（ｃ）を参照して、サーバ１０の記憶部１５に記憶される閾値ファイル１００を説明する。閾値ファイル１００は、閾値番号１０１、閾値名１０２、レベル１−１０３、レベル２−１０４、レベル３−１０５のフィールドを有する。
【００５５】
閾値番号１０１は、後述するバーの色を分けるための閾値（のパターン）の識別情報である。閾値名１０２は、閾値番号１０１の閾値の名称であり、例えば当該閾値の対象を示す。閾値名１０２は、費用実績、工事進捗率があるものとする。
【００５６】
レベル１−１０３は、閾値番号１０１の閾値のうちの１段階目の閾値である。レベル２−１０４は、閾値番号１０１の閾値のうちの２段階目の閾値である。レベル３−１０５は、閾値番号１０１の閾値のうちの３段階目の閾値である。閾値ファイル１００の１つの閾値のパターンにおける閾値数（閾値の段階数）は、３に限定されるものではなく、１、２、又は４以上としてもよい。
【００５７】
次に、図７〜図１０を参照して、工事業システム１の動作を説明する。図７は、管理端末処理を示すフローチャートである。図８は、サーバ処理を示すフローチャートである。図９は、サーバ処理のスケジュールボード作成処理を示すフローチャートである。図１０は、スケジュールボード表示画面４００を示す図である。
【００５８】
図７を参照して、管理端末２０で実行される管理端末処理を説明する。ここでは、第１の工事業者の管理端末２０で管理端末処理が実行される場合を説明するものとするが、他の工事業者の管理端末２０で管理端末処理を実行する場合も同様である。
【００５９】
管理端末２０において、例えば、電源オンされたことをトリガとして、ＣＰＵ２１は、記憶部２５から読み出して適宜ＲＡＭ２３に展開した管理端末処理プログラム２５１との協働で、管理端末処理を実行する。
【００６０】
先ず、ＣＰＵ２１は、操作部２２を介して、第１の工事業者のユーザからログイン用のユーザＩＤ及びパスワードの入力を受け付け、通信部２６を介して、入力されたユーザＩＤ及びパスワードをサーバ１０に送信する（ステップＳ１１）。第１の工事業者のユーザは、第１のユーザＩＤ及びパスワードを入力することでログインを行うことができる。
【００６１】
そして、ＣＰＵ２１は、通信部２６を介して、ログインの認証結果をサーバ１０から受信し、当該認証結果に応じて認証ＯＫか否かを判別する（ステップＳ１２）。認証ＮＧである場合（ステップＳ１２；ＮＯ）、ＣＰＵ２１は、ステップＳ１１に移行する。
【００６２】
認証ＯＫである場合（ステップＳ１２；ＹＥＳ）、ＣＰＵ２１は、複数のメニューから１つを選択可能なメニュー画面を表示部２４に表示し、操作部２２を介して、第１の工事業者のユーザからメニューの選択入力を受け付ける（ステップＳ１３）。メニュー画面では、得意先から新たに受注した工事の受注入力と、施工中の工事の費用実績入力と、施工中の工事の完了割合入力と、スケジュールボード表示と、電源オフと、の選択が可能であるものとする。電源オフの選択は、例えば、一日の処理の終わり（一日の費用実績、完了割合の入力後）に実行されるものとする。
【００６３】
そして、ＣＰＵ２１は、ステップＳ１３で選択入力されたメニューが何であるかを判別する（ステップＳ１４）。受注入力である場合（ステップＳ１４；受注入力）、ＣＰＵ２１は、操作部２２を介して、第１の工事業者のユーザから新たに受注した工事に関する受注情報の入力を受け付ける（ステップＳ１５）。受注情報は、新たな工事の工事名、現場住所、施工開始日、施工終了日、契約金額、費用予測金額、得意先名、他の情報、工程パターン等である。
【００６４】
そして、ＣＰＵ２１は、ステップＳ１５で入力された受注情報に応じて、記憶部２５に記憶された工事受注マスタファイル４０及び工事別工程マスタファイル９０に新たな工事に関するレコードを追加し（ステップＳ１６）、ステップＳ１３に移行する。
【００６５】
ステップＳ１６では、新たな工事番号が付与され、新たな工事番号、受注情報の工事名、現場住所、施工開始日、施工終了日、契約金額、費用予測金額、得意先名、他の情報が、工事受注マスタファイル４０の新たなレコードの工事番号４１、工事名４３、現場住所４４、施工開始日４５、施工終了日４６、契約金額４７、費用予測金額４８、得意先名５０、他の情報５１に格納され、完了区分４２、進捗率４９に、未完了、０％が設定される。
【００６６】
また、ステップＳ１６では、上記付与された工事番号、受注情報の工程パターン番号が、工事別工程マスタファイル９０の新たなレコードの工事番号９１、工程パターン番号９２に格納され、工程パターンマスタファイル８０に応じて、工程パターン番号９２に対応する各情報が、工程番号９３、工程割合９４、工程番号９６、工程割合９７…に格納され、完了割合９５、完了割合９８…、全体進捗割合９９に０％が設定される。
【００６７】
費用実績入力である場合（ステップＳ１４；費用実績入力）、ＣＰＵ２１は、操作部２２を介して、第１の工事業者のユーザから施工中の工事に関する費用実績の入力を受け付ける（ステップＳ１７）。入力される費用実績は、費用が発生した工事の対象の工事番号、費用発生日、費用の種類及び金額（材料費、労務費、外注費、経費、その他経費）である。そして、ＣＰＵ２１は、ステップＳ１７で入力された費用実績に応じて、記憶部２５に記憶された費用実績ファイル６０に新たなレコードを追加し（ステップＳ１８）、ステップＳ１３に移行する。
【００６８】
ステップＳ１８では、入力される費用実績の工事番号、費用発生日、費用の種類及び金額が、工事番号６１、費用発生日６２、材料費６３、労務費６４、外注費６５、経費６６、その他経費６７の新たなレコードに格納される。
【００６９】
完了割合入力である場合（ステップＳ１４；完了割合入力）、ＣＰＵ２１は、操作部２２を介して、第１の工事業者のユーザから施工中の工事の各工程に関する完了割合の入力を受け付ける（ステップＳ１９）。そして、ＣＰＵ２１は、ステップＳ１９で入力された完了割合に応じて、記憶部２５に記憶された工事別工程マスタファイル９０の完了割合９５，９８…を更新する（ステップＳ２０）。
【００７０】
そして、ＣＰＵ２１は、ステップＳ２０で更新された工事別工程マスタファイル９０のレコードの工程割合９４，９７…、完了割合９５，９８…を用いて、全体進捗割合を算出し、算出した全体進捗割合を全体進捗割合９９と、工事受注マスタファイル４０の対応する進捗率４９に格納し（ステップＳ２１）、ステップＳ１３に移行する。全体進捗割合は、工程割合と完了割合との積の全工程における総和（工程割合９４×完了割合９５＋工程割合９７×完了割合９８＋…）である。
【００７１】
スケジュールボード表示である場合（ステップＳ１４；スケジュールボード表示）、ＣＰＵ２１は、通信部２６を介して、第１のユーザＩＤに対応するスケジュールボードの要求をサーバ１０に送信し、そのスケジュールボード表示情報をサーバ１０から受信する（ステップＳ２２）。そして、ＣＰＵ２１は、ステップＳ２２で受信したスケジュールボードの表示情報により、スケジュールボードを表示部２４に表示し（ステップＳ２３）、ステップＳ１３に移行する。
【００７２】
電源オフである場合（ステップＳ１４；電源オフ）、ＣＰＵ２１は、通信部２６を介して、記憶部２５に記憶された工事受注マスタファイル４０、費用実績ファイル６０、工程マスタファイル７０、工程パターンマスタファイル８０、工事別工程マスタファイル９０をサーバ１０に送信する（ステップＳ２４）。そして、ＣＰＵ２１は、シャットダウンを行い（ステップＳ２５）、管理端末処理を終了する。
【００７３】
次いで、図８を参照して、サーバ１０で実行されるサーバ処理を説明する。サーバ１０において、図７の管理端末処理のステップＳ１１に対応して、通信部１６を介して、ユーザＩＤ及びパスワードを、ある工事業者の管理端末２０から受信開始したことをトリガとして、ＣＰＵ１１は、記憶部１５から読み出して適宜ＲＡＭ１３に展開したサーバ処理プログラム１５１との協働で、サーバ処理を実行する。
【００７４】
先ず、ＣＰＵ１１は、通信部１６を介して、ユーザＩＤ及びパスワードを管理端末２０から受信完了する（ステップＳ３１）。そして、図７のステップＳ１２に対応して、ＣＰＵ１１は、記憶部１５に記憶された正当なユーザＩＤ及びパスワードの組み合せのテーブル（図示略）を参照し、ステップＳ３１で受信されたユーザＩＤ及びパスワードでユーザ認証し、通信部１６を介して、認証ＯＫか認証ＮＧかを示す認証結果を、ユーザＩＤ等の送信元の管理端末２０に送信する（ステップＳ３２）。
【００７５】
そして、ＣＰＵ１１は、ステップＳ３２の認証結果が認証ＯＫであるか否かを判別する（ステップＳ３３）。認証ＮＧである場合（ステップＳ３３；ＮＯ）、ＣＰＵ１１は、サーバ処理を終了する。認証ＯＫである場合（ステップＳ３３；ＹＥＳ）、図７のステップＳ２２に対応して、ＣＰＵ１１は、通信部１６を介して、スケジュールボードの要求をログイン中の管理端末２０から受信したか否かを判別する（ステップＳ３４）。
【００７６】
スケジュールボードの要求を受信した場合（ステップＳ３４；ＹＥＳ）、ＣＰＵ１１は、記憶部１５のログイン中の管理端末２０に対応するユーザＩＤの公開フォルダからスケジュールボード表示情報を読み出し、通信部１６を介して、当該スケジュールボード表示情報をログイン中の管理端末２０に送信し（ステップＳ３５）、ステップＳ３４に移行する。
【００７７】
スケジュールボードの要求を受信していない場合（ステップＳ３４；ＮＯ）、図７のステップＳ２４に対応して、ＣＰＵ１１は、通信部１６を介して、工事受注マスタファイル４０、費用実績ファイル６０、工程マスタファイル７０、工程パターンマスタファイル８０、工事別工程マスタファイル９０をログイン中の管理端末２０から受信したか否かを判別する（ステップＳ３６）。工事受注マスタファイル４０等を受信していない場合（ステップＳ３６；ＮＯ）、ＣＰＵ１１は、ステップＳ３４に移行する。
【００７８】
工事受注マスタファイル４０等を受信した場合（ステップＳ３６；ＹＥＳ）、ＣＰＵ１１は、受信した工事受注マスタファイル４０、費用実績ファイル６０、工程マスタファイル７０、工程パターンマスタファイル８０、工事別工程マスタファイル９０を、記憶部１５に記憶されているテーブル用フォルダのうち、ステップＳ３２で認証に用いたログイン中の管理端末２０に対応するユーザＩＤのテーブル用フォルダに格納（更新）する（ステップＳ３７）。
【００７９】
そして、ＣＰＵ１１は、スケジュールボード作成処理を実行し（ステップＳ３８）、サーバ処理を終了する。ここで、図９を参照して、ステップＳ３８のスケジュールボード作成処理を説明する。
【００８０】
先ず、ＣＰＵ１１は、計時部１７から現在日時情報を取得し、現在日時情報を用いて表示情報としてカレンダボードを作成する（ステップＳ４１）。カレンダボードは、現在の日付を基準日として、過去及び未来それぞれの所定期間のカレンダを有するカレンダボードである。例えば、基準日から過去２か月間及び未来２か月間の期間で、左から右に経時するカレンダボードが作成される。
【００８１】
そして、ＣＰＵ１１は、ログイン中のユーザＩＤのフォルダ中の工事受注マスタファイル４０を読み出し、工事単位の未選択レコードを選択する（ステップＳ４２）。そして、ＣＰＵ１１は、ステップＳ４２で選択されたレコードの工事が、ステップＳ４１で作成されたカレンダボードの期間内の工事であるか（工事期間の少なくとも一部がカレンダボードの期間内か）否かを判別する（ステップＳ４３）。
【００８２】
カレンダボードの期間内の工事である場合（ステップＳ４３；ＹＥＳ）、ＣＰＵ１１は、ステップＳ４２で選択されたレコードの完了区分４２が未完了であるか否かを判別する（ステップＳ４４）。未完了である場合（ステップＳ４４；ＹＥＳ）、ＣＰＵ１１は、選択レコードの施工開始日４５、施工終了日４６を用いて、工事期間を算出し、未完了を示す色で当該工事期間のスケジュールバーをステップＳ４１で作成されたカレンダボード上に作成する（ステップＳ４５）。未完了を示す色は、例えば、緑色であるものとするが、これに限定されるものではない。
【００８３】
そして、ＣＰＵ１１は、選択レコードの得意先名５０、工事名４３、契約金額４７、費用予測金額４８を用いて、得意先名、工事名、契約金額、費用予測金額を工事に関する詳細情報としてステップＳ４５で作成したスケジュールバー内に追加する（ステップＳ４６）。なお、詳細情報は、これらの情報に限定されるものではない。
【００８４】
そして、ＣＰＵ１１は、ログイン中のユーザＩＤのフォルダ中の費用実績ファイルを読み出し、選択レコードの工事番号６１に対応する材料費６３、労務費６４、外注費６５、経費６６、その他経費６７から費用実績を集計し、当該費用実績、費用予測金額４８、ステップＳ４５で算出された工事の日数に応じた費用実績バーを作成し、カレンダボードのスケジュールバーに隣接して配置する（ステップＳ４７）。費用実績バーは、ステップＳ４５で算出された工事の日数の長さを費用予測金額４８に対応する１００％として、費用予測金額４８に対する集計した費用実績の金額の割合の長さ部分が費用実績部として工事期間内の左側に配置され、費用残額（＝費用予測金額４８−費用実績）の割合の長さ部分が費用残額部として費用実績部の右側に配置される。
【００８５】
そして、ＣＰＵ１１は、記憶部１５から閾値ファイル１００の閾値名１０２が費用実績のレコードを読み出し、ステップＳ４７で算出された費用実績の金額の割合が、費用実績のレコードのレベル１−１０３、レベル２−１０４、レベル３−１０５を超えるかに応じて、費用実績バーのアラーム用の色を設定する（ステップＳ４８）。例えば、費用実績バーの費用実績部の色は、費用実績の金額の割合が、レベル１−１０３以下である場合に水色に設定され、レベル１−１０３より上でレベル２−１０４以下である場合に黄色に設定され、レベル２−１０４より上でレベル３−１０５以下である場合にオレンジ色に設定され、レベル３−１０５より上である場合に赤色に設定される。また、例えば、費用実績バーの費用残額部の色は、灰色に設定される。しかし、費用実績バーの色は、これらの例に限定されるものではない。
【００８６】
そして、ＣＰＵ１１は、選択レコードの進捗率４９、ステップＳ４５で算出した工事の日数に応じた工事進捗率バーを費用実績バーに隣接して作成する（ステップＳ４９）。工事進捗率バーは、ステップＳ４５で算出された工事の日数の長さを工事進捗率に対応する１００％として、進捗率４９に対する工事進捗率の割合の長さ部分が工事進捗率部として工事期間内の左側に配置され、進捗率残り（＝１００％−進捗率４９）の割合の長さ部分が進捗率残り部として工事進捗率部の右側に配置される。
【００８７】
そして、ＣＰＵ１１は、記憶部１５から閾値ファイル１００の閾値名１０２が工事進捗率のレコードを読み出し、進捗率４９が、工事進捗率のレコードのレベル１−１０３、レベル２−１０４、レベル３−１０５を超えるかに応じて、工事進捗率バーのアラーム用の色を設定する（ステップＳ５０）。例えば、工事進捗率バーの工事進捗率部の色は、工事進捗率が、レベル１−１０３以下である場合に水色に設定され、レベル１−１０３より上でレベル２−１０４以下である場合に黄色に設定され、レベル２−１０４より上でレベル３−１０５以下である場合にオレンジ色に設定され、レベル３−１０５より上である場合に赤色に設定される。また、例えば、工事進捗率バーの進捗率残り部の色は、灰色に設定される。しかし、工事進捗率バーの色は、これらの例に限定されるものではない。
【００８８】
完了である場合（ステップＳ４４；ＮＯ）、ＣＰＵ１１は、選択レコードの施工開始日４５、施工終了日４６を用いて、完了を示す色の工事のスケジュールバーをカレンダボード上に作成する（ステップＳ５１）。完了を示す色は、例えば、灰色であるものとするが、これに限定されるものではない。
【００８９】
そして、ＣＰＵ１１は、選択レコードの得意先名５０、工事名４３、契約金額４７、費用予測金額４８を用いて、得意先名、工事名、契約金額、費用予測金額を工事の詳細情報としてステップＳ５１で作成したスケジュールバー内に追加する（ステップＳ５２）。詳細情報は、これらの情報に限定されるものではない。
【００９０】
そして、ＣＰＵ１１は、ステップＳ４２での工事受注マスタファイル４０の未選択のレコードがあるか否かを判別する（ステップＳ５３）。カレンダボードの期間内の工事でない場合（ステップＳ４３；ＮＯ）、ＣＰＵ１１は、ステップＳ５３に移行する。未選択のレコードがある場合（ステップＳ５３；ＹＥＳ）、ＣＰＵ１１は、ステップＳ４２に移行する。未選択のレコードがない場合（ステップＳ５３；ＮＯ）、ＣＰＵ１１は、スケジュールバー、費用実績バー、工事進捗率バーを有するカレンダボード（スケジュールボード）を表示するためのスケジュールボード表示情報を、記憶部１５に記憶されている公開フォルダのうち、ステップＳ３２で認証に用いたログイン中の管理端末２０のユーザＩＤの公開フォルダに格納（更新）し（ステップＳ５４）、スケジュールボード作成処理を終了する。
【００９１】
ステップＳ５４に対応して、管理端末２０において、図７の管理端末処理のステップＳ２２，Ｓ２３が実行される。また、照会端末３０において、ＣＰＵ３１は、図７のステップＳ１１，Ｓ１２と同様のログイン後、ユーザからの操作部３２を介する照会指示入力に応じて、図７のステップＳ２２，Ｓ２３と同様の処理を行う。
【００９２】
次いで、図１０を参照して、図７のステップＳ２３で表示されるスケジュールボードの具体例としてのスケジュールボード表示画面４００を説明する。図１０は、スケジュールボード表示画面４００を示す図である。
【００９３】
スケジュールボード表示画面４００は、カレンダボード４０１と、カレンダボード４０１上のスケジュール部４１０，４２０，４３０と、を有する。スケジュール部４１０は、スケジュールバー４１１を有する。スケジュール部４２０は、スケジュールバー４２１と、費用実績バー４２２と、工事進捗率バー４２３と、を有する。費用実績バー４２２は、費用実績部４２２Ａと、費用残額部４２２Ｂと、を有する。工事進捗率バー４２３は、進捗率部４２３Ａと、進捗率残り部４２３Ｂと、を有する。
【００９４】
スケジュール部４３０は、スケジュールバー４３１と、費用実績バー４３２と、工事進捗率バー４３３と、を有する。費用実績バー４３２は、費用実績部４３２Ａと、費用残額部４３２Ｂと、を有する。工事進捗率バー４３３は、進捗率部４３３Ａと、進捗率残り部４３３Ｂと、を有する。
【００９５】
スケジュールボード表示画面４００は、サーバ１０の記憶部１５の第１の工事業者のユーザＩＤの公開フォルダに格納されたスケジュールボード表示情報により表示される表示画面である。カレンダボード４０１は、基準日を２０１４年（以下２０１４年を略する）３月１７日として、過去２か月、未来２か月のカレンダを有し、現在の表示範囲が３月１０日〜３月２６日となっている。例えば、スクロール操作により、その表示範囲を移動可能とする。また、カレンダボード４０１上の基準日を、他の日付から識別するように表示してもよい。
【００９６】
スケジュールバー４１１は、完了した工事番号００１の工事のスケジュールバーであり、２月１０日〜３月１５日の期間において、灰色に表示されており、詳細情報を含む。
【００９７】
スケジュールバー４２１は、未完了の工事番号００２の工事のスケジュールバーであり、３月１１日〜３月２５日の期間において、緑色に表示されており、詳細情報を含む。費用実績部４２２Ａは、工事番号００２の工事の費用実績に対応し、費用予測金額の６５％を占め、アラームのため黄色に表示されている。費用残額部４２２Ｂは、工事番号００２の工事の費用残額に対応し、費用予測金額の３５％を占め、灰色に表示されている。進捗率部４２３Ａは、工事番号００２の工事の工事進捗率に対応して８５％を占め、アラームのためオレンジ色に表示されている。進捗率残り部４２３Ｂは、工事番号００２の工事の工事進捗率残りに対応して１５％を占め、灰色に表示されている。
【００９８】
スケジュールバー４３１は、未完了の工事番号００３の工事のスケジュールバーであり、３月１５日〜３月２６日の期間において、緑色に表示されており、詳細情報を含む。費用実績部４３２Ａは、工事番号００３の工事の費用実績に対応し、費用予測金額の３０％を占め、水色に表示されている。費用残額部４３２Ｂは、工事番号００３の工事の費用残額に対応し、費用予測金額の７０％を占め、灰色に表示されている。進捗率部４３３Ａは、工事番号００３の工事の工事進捗率に対応して３０％を占め、水色に表示されている。進捗率残り部４３３Ｂは、工事番号００３の工事の工事進捗率残りに対応して７０％を占め、灰色に表示されている。
【００９９】
以上、本実施の形態によれば、サーバ１０は、工事別の施工開始日及び施工終了日を管理端末２０から受信し、受信された工事別の施工開始日及び施工終了日に基づいて、工事別の施工スケジュールを示すスケジュールバーを工事別に作成しカレンダボード上に配置してスケジュールボード表示情報を作成し、作成されたスケジュールボード表示情報を通信ネットワークＮ上の管理端末２０、照会端末３０に公開する。
【０１００】
このため、管理端末２０、照会端末３０で工事の施工スケジュールを表示することで、ユーザは、工事の施工スケジュールをより多くの場所で目視により確認できる。例えば、管理端末２０が設置された工事業者の事務所だけでなく、照会端末３０を所持したユーザの外出先や工事現場でも工事の施工スケジュールを確認できる。また、管理端末２０で工事別の施工開始日及び施工終了日を入力してサーバ１０に送信することにより、サーバ１０でスケジュールバーを自動的に作成でき、工事業システム１の運用効率を向上できる。
【０１０１】
また、サーバ１０は、受注入力で入力された工事別の費用予測金額と、費用実績入力で入力された工事別の費用実績金額と、管理端末２０から受信し、受信された工事別の費用予測金額及び費用実績金額に基づいて、当該費用予測金額に対する当該費用実績金額の割合を示す費用実績バーを工事別に作成してカレンダボード上に配置してスケジュールボード表示情報を作成する。このため、ユーザは、費用予測金額に対する費用実績金額の割合をより多くの場所で確認できる。また、管理端末２０で費用予測金額及び費用実績金額を入力してサーバ１０に送信することにより、サーバ１０で費用実績バーを自動的に作成でき、工事業システム１の運用効率を向上できる。
【０１０２】
また、サーバ１０は、費用予測金額に対する費用実績金額の割合に応じて、費用実績バーの表示色を水色、黄色、オレンジ色又は赤色に設定する。このため、ユーザは、費用予測金額に対する費用実績金額の割合の範囲を色により容易に認識できる。
【０１０３】
また、サーバ１０は、費用実績バーの長さを費用予測金額に対応させ、費用予測金額に対する費用実績金額の割合を長さで示す費用実績バーを作成する。このため、ユーザは、費用予測金額に対する費用実績金額の割合の範囲を、費用実績金額の長さにより容易に認識できる。
【０１０４】
また、サーバ１０は、進捗入力に応じた工事別の進捗率を管理端末２０から受信し、受信された工事別の進捗率を示す工事進捗率バーを工事別に作成してカレンダボード上に配置してスケジュールボード表示情報を作成する。このため、ユーザは、工事の進捗率をより多くの場所で確認できる。また、管理端末２０で進捗率算出のための情報を入力してサーバ１０に進捗率を送信することにより、サーバ１０で工事進捗率バーを自動的に作成でき、工事業システム１の運用効率を向上できる。
【０１０５】
また、サーバ１０は、進捗率に応じて、工事進捗率バーの表示色を水色、黄色、オレンジ色又は赤色に設定する。このため、ユーザは、工事の進捗率の範囲を色により容易に認識できる。
【０１０６】
また、サーバ１０は、工事進捗率バーの長さを１００％に対応させ、進捗率を長さで示す工事進捗率バーを作成する。このため、ユーザは、工事の進捗率を、進捗率の長さにより容易に認識できる。
【０１０７】
また、サーバ１０は、工事別の詳細情報を管理端末２０から受信し、受信された工事別の詳細情報を工事別のスケジュールバーに追加する。このため、ユーザは、工事の詳細情報を容易に認識できる。
【０１０８】
また、サーバ１０は、工事別の完了区分を管理端末２０から受信し、受信された工事別の完了区分に応じて工事別のスケジュールバーの表示色を緑色又は灰色に設定する。このため、ユーザは、工事の完了区分を色により容易に認識できる。
【０１０９】
以上の説明では、本発明に係るプログラムのコンピュータ読み取り可能な媒体として記憶部１５のＨＤＤ、ＳＳＤを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【０１１０】
なお、上記実施の形態における記述は、本発明に係る情報処理装置及びプログラムの一例であり、これに限定されるものではない。
【０１１１】
例えば、上記実施の形態では、サーバ１０が、スケジュールボード表示情報を管理端末２０、照会端末３０に公開する構成としたが、これに限定されるものではない。各管理端末２０が、ログイン認証機能を有し、閾値ファイル１００を記憶部２５に記憶し、操作部２２で入力された情報に応じて、工事受注マスタファイル４０、費用実績ファイル６０、工事別工程マスタファイル９０を更新し、これらの情報に基づいて、自機の工事分のスケジュールボード表示情報を作成し、管理端末２０にログインした照会端末３０に公開する構成としてもよい。
【０１１２】
また、上記実施の形態では、費用予測金額に対する費用実績の進捗率の割合と、進捗率と、を管理端末２０が算出する構成としたが、これに限定されるものではない。サーバ１０が、管理端末２０で入力された情報を受信し、当該情報に基づいて、費用予測金額に対する費用実績の進捗率の割合と、進捗率と、を算出する構成としてもよい。
【０１１３】
また、上記実施の形態における工事業システム１の各構成要素の細部構成及び細部動作に関しては、本発明の趣旨を逸脱することのない範囲で適宜変更可能であることは勿論である。
【０１１４】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
通信ネットワークに接続された情報処理装置であって、
工事別の受注情報を入力する入力手段と、
前記入力された工事別の受注情報に基づいて、当該工事別の施工スケジュールを示すスケジュールバーを工事別に作成しカレンダボード上に配置してスケジュールボード表示情報を作成する作成手段と、
前記作成されたスケジュールボード表示情報を前記通信ネットワーク上の照会端末に公開する公開手段と、を備える情報処理装置。
＜請求項２＞
前記入力手段は、前記受注情報として、工事別の施工開始日及び施工終了日を入力し、
前記作成手段は、前記入力された工事別の施工開始日及び施工終了日に基づいて、当該工事別の施工スケジュールを示すスケジュールバーを工事別に作成しカレンダボード上に配置してスケジュールボード表示情報を作成する請求項１に記載の情報処理装置。
＜請求項３＞
前記入力手段は、受注入力で入力された工事別の費用予測金額と、費用実績入力で入力された工事別の費用実績金額と、を入力し、
前記作成手段は、前記入力された工事別の費用予測金額及び費用実績金額に基づいて、当該費用予測金額に対する当該費用実績金額の割合を示す費用実績バーを工事別に作成して前記カレンダボード上に配置して前記スケジュールボード表示情報を作成する請求項１に記載の情報処理装置。
＜請求項４＞
前記作成手段は、前記費用予測金額に対する当該費用実績金額の割合に応じて、前記費用実績バーの表示色を設定する請求項３に記載の情報処理装置。
＜請求項５＞
前記作成手段は、前記費用実績バーの長さを前記費用予測金額に対応させ、当該費用予測金額に対する前記費用実績金額の割合を長さで示す当該費用実績バーを作成する請求項４に記載の情報処理装置。
＜請求項６＞
前記入力手段は、進捗入力に応じた工事別の進捗率を入力し、
前記作成手段は、前記入力された工事別の進捗率を示す工事進捗率バーを工事別に作成して前記カレンダボード上に配置して前記スケジュールボード表示情報を作成する請求項１から５のいずれか一項に記載の情報処理装置。
＜請求項７＞
前記作成手段は、前記進捗率に応じて、前記工事進捗率バーの表示色を設定する請求項６に記載の情報処理装置。
＜請求項８＞
前記作成手段は、前記工事進捗率バーの長さを１００％に対応させ、前記進捗率を長さで示す当該工事進捗率バーを作成する請求項６又は７に記載の情報処理装置。
＜請求項９＞
前記入力手段は、工事別の詳細情報を入力し、
前記作成手段は、前記入力された工事別の詳細情報を前記工事別のスケジュールバーに追加する請求項１から８のいずれか一項に記載の情報処理装置。
＜請求項１０＞
前記入力手段は、工事別の完了区分を入力し、
前記作成手段は、前記入力された工事別の完了区分に応じて前記工事別のスケジュールバーの表示色を設定する請求項１から９のいずれか一項に記載の情報処理装置。
＜請求項１１＞
通信ネットワークに接続された情報処理装置のコンピュータを、
工事別の受注情報を入力する入力手段、
前記入力された工事別の受注情報に基づいて、当該工事別の施工スケジュールを示すスケジュールバーを工事別に作成しカレンダボード上に配置してスケジュールボード表示情報を作成する作成手段、
前記作成されたスケジュールボード表示情報を前記通信ネットワーク上の照会端末に公開する公開手段、
として機能させるためのプログラム。
【符号の説明】
【０１１５】
１  工事業システム
１０  サーバ
１１  ＣＰＵ
１２  操作部
１３  ＲＡＭ
１４  表示部
１５  記憶部
１６  通信部
１７  計時部
１８  バス
２０  管理端末
２１  ＣＰＵ
２２  操作部
２３  ＲＡＭ
２４  表示部
２５  記憶部
２６  通信部
２７  バス
３０  照会端末
３１  ＣＰＵ
３２  操作部
３３  ＲＡＭ
３４  表示部
３５  記憶部
３６  通信部
３７  バス
Ｎ  通信ネットワーク
【図１】
2016006590.tif 000003
【図２】
2016006590.tif 000004
【図３】
2016006590.tif 000005
【図４】
2016006590.tif 000006
【図５】
2016006590.tif 000007
【図６】
2016006590.tif 000008
【図７】
2016006590.tif 000009
【図８】
2016006590.tif 000010
【図９】
2016006590.tif 000011
【図１０】
2016006590.tif 000012